(57)【要約】      （修正有）【課題】高さの微調整が可能で、容易に組み立て可能な、パーティションを提供する。【解決手段】複数の支柱でパネルを支持することにより空間を仕切るパーティションにおいて、長手方向に溝２１を設けた支柱２と、該支柱２の溝２１との摺動面を両側面に有する複数のパネル３とより構成し、パネル３の上下面には、一方の継手面に凸型継手部３２、他方の継手面に凹型継手部３１を有し、両継手部は互いに嵌合可能とする。【選択図】図１
2006207340.tif 000002
【特許請求の範囲】
【請求項１】
複数の支柱でパネルを支持することにより空間を仕切るパーティションにおいて、
長手方向に溝を設けた支柱と、該支柱の溝との摺動面を両側面に有する複数のパネルと、より構成することを特徴とする、パーティション。
【請求項２】
該パネルの上下面には、一方の継手面に凸型継手部、他方の継手面に凹型継手部を有し、該両継手部は互いに嵌合可能であることを特徴とする、請求項１に記載のパーティション。
【請求項３】
所定の間隔を空けて支柱を立設し、
立設した支柱の溝に、パネルを摺動させて組み立てることを特徴とする、
パーティションの組み立て方法。
【請求項４】
該パネルは一方の継手面に凸型継手部と、他方の継手面に凹型継手部を有し、該両継手部を互いに嵌合して組み立てることを特徴とする、請求項３に記載のパーティションの組み立て方法。
【請求項５】
立設する支柱の長手方向に複数の溝を設け、パネルに角度を付けて組み立てることを特徴とする、請求項３または４に記載のパーティションの組み立て方法。
【発明の詳細な説明】
【技術分野】
【０００１】
本発明は、パーティション、間仕切り壁に関するものであり、特に床面から天井付近まで任意の高さに設定することのできるパネル組み立て式パーティションに関するものである。
【背景技術】
【０００２】
従来、オフィス空間などにおいては、広いフロアを各個人の作業空間や、ミーティング場所、ＯＡ機器の設置場所毎にパーティションによって区画整理されることが常識的に行われている。
【０００３】
パーティションには様々な種類があり、床面と天井を完全にふさいでしまうフルスクリーン型（例えば、特許文献１）や、ローパーティション型などがある。また、パーティションのパネルにも、全面ガラス型や、ドア型、スクリーン型（例えば特許文献２）など、多種多様なバリエーションが存在している。
【特許文献１】特開２００４−１３７８３６号公報
【特許文献２】特開２００３−１９３７３６号公報
【発明の開示】
【発明が解決しようとする課題】
【０００４】
しかし、従来の既製品のパネルを用いると、あらかじめ決められたバリエーションの中でパーティションの高さを選択しなければならなかった。
特に、パーティションなどによって仕切られた空間の居心地の良さについては、実際に設置してみないとわからない場合が多く、人それぞれによって感覚も異なるため、設置後にも高さを調整することのできるパーティションが望まれていた。
【０００５】
また、スクリーン型のパーティションは、上方からロールスクリーンを吊り下げておくものであり、上方から下方に向けて遮蔽長を調節することは可能だが、下方から上方への遮蔽長を調節できるものではないため、パーティションの高さを調整したいという要望に応えるものではなかった。
【０００６】
また、パーティションを構成するパネルの材質、模様等を変更する場合も、設置業者によって新たにパーティションを再設置する必要があり、安易に行えるものではなかった。
【課題を解決するための手段】
【０００７】
上記のような課題を解決するために、本発明の第１の発明は、複数の支柱でパネルを支持することにより空間を仕切るパーティションにおいて、長手方向に溝を設けた支柱と、該支柱の溝との摺動面を両側面に有する複数のパネルと、より構成することを特徴とするパーティションを提供するものである。
【０００８】
また、本発明の第２の発明は、本発明の第１の発明に記載のパーティションにおいて、該パネルの上下面には、一方の継手面に凸型継手部と、他方の継手面に凹型継手部を有し、該両継手部は互いに嵌合可能であることを特徴とするものである。
【０００９】
また、本発明の第３の発明は、所定の間隔を空けて支柱を立設し、立設した支柱の溝に、パネルを摺動させて組み立てることを特徴とするパーティションの組み立て方法を提供するものである。
【００１０】
また、本発明の第４の発明は、本発明の第３の発明に記載のパーティションの組み立て方法において、該パネルは一方の継手面に凸型継手部と、他方の継手面に凹型継手部を有し、該両継手部を互いに嵌合して組み立てることを特徴とするものである。
【００１１】
また、本発明の第５の発明は、本発明の第３の発明または第４の発明に記載のパーティションの組み立て方法において、立設する支柱の長手方向に複数の溝を設け、パネルに角度を付けて組み立てることを特徴とするものである。
【発明の効果】
【００１２】
本発明は、上記した課題を解決するための手段により、次のような効果を得ることができる。
＜１＞パネルの設置枚数を変更することで、容易に床上からの高さ調整が可能となる。
＜２＞材質、模様等を変更したパネルを用いることにより、パーティションの構成の組合せの幅が広くなり、多彩なレイアウトが可能となる。
【発明を実施するための最良の形態】
【００１３】
以下、図面を参照しながら本発明の実施の形態について説明する。
【実施例１】
【００１４】
＜１＞全体構成
本実施例では、一方の壁から他方の壁に向かってパーティションを設置し、空間を区画するものとする。
【００１５】
＜２＞支柱I型１の構造及び設置
図３、４に示すように、支柱I型１は、木製又はスチール製であり、一側面の長手方向に溝部１１を有し、断面がコの字型形状を呈する。溝部１１は、下記で述べるパネル３が摺動可能な幅長を有し、一端にパネル３が固定できるように形成する。
上記した支柱I型１を、パーティションの設置場所の床上及び壁側に周知の方法により設置する。
ここで床上への支柱I型１の設置は、溝部１１が上面に向かうように設置する。
＜３＞支柱II型２の構造及び設置
図５，６に示すように、支柱II型２は、木製又はスチール製であり、両側面の長手方向に溝部２１を有し、断面がH型形状を呈する。２つの溝部２１は、下記で述べるパネル３が摺動可能な幅長を有し、左右両端にパネル３が固定できるように形成する。
また、図７、８に示すように、支柱II型２は、パネルの嵌合部より多くの溝部２１を設けてもよい。多くの溝部を設けることにより、パーティションの設置方向に角度をつけることができる。
上記した支柱II型２を、所定の間隔を空けながら、床上に設置された支柱I型１の上に周知の方法により設置する。
【００１６】
＜４＞パネル３の構造及び設置
パネル３は、木製、ガラス製、エポキシ製など、設置場所の用途に応じて、任意の材料を用いることとする。
図９、１０に示すように、パネル３の両側面は、前記した支柱I型１、支柱II型２の溝部１１、溝部２１に摺動可能な厚さを有するものとし、上面に凹型継手部３１を設け、下面に凸型継手部３２を設ける。前記の継手部における嵌合構造には、テーパーを設ける。
パネル３の縦幅を小さくすればするほど、パーティションの高さの微調整が可能となる。
上記パネル３を１枚ずつ支柱間の柱面に摺動させながら組み立てる（図１）。上記パネル３は互いに、前述した凹凸の嵌合構造によって連結される（図２）。
【実施例２】
【００１７】
図１１に示すように、長さが異なる支柱I型１、支柱II型２を用いることで、多彩なバリエーションのパーティションを構成することができる。
図１１では、設計高さまでパネル３を組み立てたあと、パネル３の天端を支柱I型１で固定している。また、高さや、材質の異なるパネル３を組み合わせて設置することもできる。
【図面の簡単な説明】
【００１８】
【図１】本発明の組み立て工程を示す正面図。
【図２】本発明のパネル３の嵌合構造を示す斜視図。
【図３】本発明の支柱I型１の断面図。
【図４】本発明の支柱I型１の正面図。
【図５】本発明の支柱II型２の断面図。
【図６】本発明の支柱II型２の正面図。
【図７】本発明の支柱II型２の他の実施例を示す断面図。
【図８】本発明の支柱II型２の他の実施例を示す断面図。
【図９】本発明のパネル３の断面図。
【図１０】本発明のパネル３の正面図。
【図１１】本発明の組立工程の他の実施例を示す正面図。
【符号の説明】
【００１９】
１・・・支柱I型
１１・・溝部
２・・・支柱II型
２１・・溝部
３・・・パネル
３１・・凹型継手部
３２・・凸型継手部
【図１】
2006207340.tif 000003
【図２】
2006207340.tif 000004
【図３】
2006207340.tif 000005
【図４】
2006207340.tif 000006
【図５】
2006207340.tif 000007
【図６】
2006207340.tif 000008
【図７】
2006207340.tif 000009
【図８】
2006207340.tif 000010
【図９】
2006207340.tif 000011
【図１０】
2006207340.tif 000012
【図１１】
2006207340.tif 000013